(57)【要約】      （修正有）【課題】細長い把持構造のようなカートリッジ接続サブ・アセンブリを含むシービングハンドルを提供する。【解決手段】細長いハンド把持構造（３０）と前記把持構造の端部のカートリッジ支持構造とを有するシェービングカミソリハンドルにおいて、上記細長いハンド把持構造が、開口（７２、７４、７６）を備えたフレーム（３４）と、エラストマ・プラスティック把持外層（４５）及びその下方の非エラストマ・プラスチック支持層（４７）を有する複数の把持パッド（４４、４６、４８）により構成され、前記各開口に各前記把持パッドの固定タブ（７０）が挿入装着される。【選択図】図３
2005185856.tif 000002
【特許請求の範囲】
【請求項１】
細長いハンド把持構造（３０）と前記把持構造の端部のカートリッジ支持構造とを有するシェービングカミソリハンドルにおいて、上記細長いハンド把持構造は、開口（７２、７４、７６）を備えたフレーム（３４）と、エラストマ・プラスティック把持外層（４５）及びその下方の非エラストマ・プラスチック支持層（４７）を有する複数の把持パッド（４４、４６、４８）とを有し、前記各開口は、前記フレーム内の大きな領域に連なる制限領域を有し、各前記把持パッドは、前記開口に受けられる固定タブ（７０）を有し、前記各固定タブは、前記大きな領域に配置され、前記制限面積より大きい部分を有するシェービング・カミソリハンドル。
【請求項２】
前記制限領域は、前記フレーム（３４）の前記開口における突起部（７０ａ）によって一部が形成されている請求項１記載のハンドル。
【請求項３】
前記制限領域は、前記フレーム（３４）の前記開口における対向突起部（７０ａ）によって一部が形成される請求項１記載のハンドル。
【請求項４】
少なくとも１つの前記把持パッドは、前記フレームの重なり合い部分の下方に配置される相互固定部分を有する請求項１記載のハンドル。
【請求項５】
前記各把持パッドは、各前記開口に受けられる２つの前記固定タブを有する請求項１記載のハンドル。
【請求項６】
前記非エラストマー・プラスティック支持層（４７）は、前記固定タブの間で凹形状の下面を有する請求項５記載のハンドル。
【請求項７】
各前記把持パッドは、各前記開口に受けられる２つの固定タブを有する請求項２または３記載のハンドル。
【請求項８】
前記非エラストマ・プラスティック支持層（４７）は、前記固定タブの間で凹形状である下面を有する請求項７記載のハンドル。
【請求項９】
前記把持パッドは２つの固定タブと、前記フレームの構造と相互に固定するための前記固定タブの間に設けられた相互固定部分を有する請求項１記載のハンドル。
【請求項１０】
前記フレームは外面にそれぞれ凹所領域（３８、４０、４２）を有し、前記把持パッド（４４、４６、４８）は、上記凹所領域に配置されている請求項１記載のハンドル。
【請求項１１】
前記各固定タブを受ける前記開口は、前記凹所領域に配置される請求項１０記載のハンドル。
【請求項１２】
前記把持パッドは、前記フレーム上面の広い領域及び２つの側面部の２つの狭い部分を備えた三日月形状であり、各狭い部分に前記固定タブ（７０）があり、前記広い領域は、前記フレームに相互固定する相互固定部分を有し、前記非エラストマ・プラスティック支持層は、前記固定タブの間で凹形状である下面を有し、前記フレームは外面に各凹所領域（３８、４０、４２）を有し、前記把持パッド（４４、４６、４８）は、前記凹所領域に配置されており、前記固定タブを受ける前記開口は前記凹所領域に配置されている請求項１記載のハンドル。
【発明の詳細な説明】
【技術分野】
【０００１】
本発明は、ハンドルと交換可能なカートリッジとを備えたシェービング・カミソリハンドルに関する。
【背景技術】
【０００２】
シェービング装置は、ハンドルと、１つまたは複数の刃をプラスティック製のハウジングに取り付けた交換可能なカートリッジとを有する。使用してカートリッジの刃がなまった後、カートリッジが廃棄され、ハンドル上で新しいカートリッジに置換される。いくつかのシェービング装置においては、刃はカートリッジ・ハウジングに対して弾性的に取り付けられ、シェービング中に皮膚の接触力でたわむ。いくつかのシェービング装置においては、ハンドルへカートリッジを接続することによってシェービングする表面の輪郭に従うようにカートリッジ角度が調整するようにハンドルに対してカートリッジを回転可能に取り付ける。このような装置において、カートリッジは、カートリッジ・ハウジングにカム面に対してハンドルに支持されたばね偏倚プランジャ（カムフォロア）の動作によって休止位置に向けて偏倚することができる。
【発明の開示】
【発明が解決しようとする課題及び課題を解決するための手段】
【０００３】
本発明は、細長い把持構造のようなカートリッジ接続サブ・アセンブリを含むシェービングハンドルを特徴とする。
【０００４】
他の側面において、本発明は、通常、ほぼ直線部分と、直線部分に関して片寄っており、平坦なサブ・アセンブリ接続部分とを有する細長いハンド把持構造を含むシェービングカミソリ・ハンドルを特徴とする。また、ハンドルは、サブ・アセンブリ接続部分に固定するように接続された概して平坦なハンドル接続構造と、交換可能なカートリッジに接続された解放可能な接続部分をつくるカートリッジ接続構造と、交換可能なカートリッジと相互作用するカートリッジ接続構造内の可動な部品と、を有するサブ・アセンブリを含む。
【０００５】
他の側面において、本発明は、通常、細長いハンド把持構造を有するシェービングカミソリハンドルと、カートリッジ接続構造および細長いハンド把持構造のサブ・アセンブリ接続端部とかみあうハンドル接続構造を有するサブ・アセンブリと、ハンドル接続構造をサブ・アセンブリ接続端部に接続する支柱とを有することを特徴とする。
【０００６】
他の側面において、本発明は、通常、フレームおよび複数の把持パッドを含むハンド把持構造の端部にカートリッジ支持構造を有するシェービングカミソリハンドルを有することを特徴とする。把持パッドは、エラストマー・プラスティック製外側把持層および非エラストマー・プスティック支持層とを含む。フレームは、各々がフレームの構造内で大きな表面領域に導く制限領域を有する開口を備えている。各把持パッドは、各開口に受けられる少なくとも１つの固定タブを有し、各固定タブは、大きな領域に配置されるとともに制限領域より大きい部分を有する。
【０００７】
本発明のハンドルのある実施の形態は、１つまたは複数の次の特徴を含む。
【０００８】
ある実施の形態において、フレーム構造の開口の制限領域は、向き合う棒状体により形成され、把持パッドは、フレームの上面の広い領域を備えた三日月形状であり、２つの側面部分に２つの狭い部分を有する。これらは、各狭い部分で固定があり、広い領域は、フレームと相互に固定する相互固定部分を支持している。非エラストマー・プラスティック支持層は、固定タブの間が凹形状下面を有する。このフレームは、外面に凹形状を有し、把持パッドは、凹形状の領域にある。
【０００９】
本発明の他の利点および特徴は、その好ましい実施例および請求の範囲の詳細な説明から明らかになるであろう。
【発明を実施するための最良の形態】
【００１０】
図１および図２を参照すると、シェービング・カミソリ１０は、図２に示すようなハンドル１２と、交換可能なシェービング・カートリッジ１４とを有する。カートリッジ１４は、ハンドル１２から取り外し可能である。カートリッジ１４は、３つの刃１８と、ガード２０と、キャップ２２とを支持しているハウジング１６を有している。また、カートリッジ１４は、ハウジング１６が回転可能に取り付けられる相互接続部材２４を有する。相互接続部材２４は、ハンドル１２のカートリッジ接続構造２６に取り外し可能に及び固定するように取付けられるベース２７と、その２つの側面でハウジング１６を回転可能に支持する２つのアーム２８とを有する。ハウジング１６は、ハンドル１２のばね偏倚プランジャ２３によって作動されるカム面２５（図２参照）を有し、ベース２７がハンドル１２に接続されるとき、プランジャ２３は、ベース２７の開口２９を貫通してハウジング１６を図１の休止位置において前方に偏倚する。シェービング・カートリッジ１４の構造および動作は、１９９６年４月１０日に出願されたU.S.S.N.08/630,437に詳細が説明されている。ハンドル１２は、ボタン３２を支持しており、このボタン３２は、Ｕ形状エジェクタ８６（図９）を起動し、それをカートリッジ接続構造２６の前部から伸長させ、ベース２７を構造２６から押すことによってカートリッジ１４を放出するために使用される。
【００１１】
図３ないし図７を参照すると、ハンドル１２は、（以下に詳細に説明するような）接続サブ・アセンブリ３１およびボタン３２を接続する細長いハンド把持構造３０を有し、細長いハンド把持構造３０は、主な構造的な部材として金属フレーム３４を有する。カートリッジ接続サブ・アセンブリ３１（図３参照）は、フレーム３４のサブ・アセンブリ接続端部３６に接続されている。端部３６は、ベース２７（図１および図２）の形状に合致するためにほぼ平坦であり、ほぼ直線であるフレーム３４の他の部分から片寄っている。フレーム３４の直線部分は、３つの三日月型の凹所３８，４０，４２（図５ないし図６参照）を有し、上方の三日月形状の把持パッド４４，４６、４８と関連する穴３９，４１，４３を有する。また、フレーム３４の直線部分は、上方のロゴ・パネル５２用の楕円形状の凹所５０と、下方把持パッド５６のための下方凹所５４（図７）を有し、下方把持パッド５６は、下方ロゴパッド５７（図３参照）を支持している。
【００１２】
上方把持パッド４４，４６，４８および下方把持パッド５６は、完成したユニットでハンド把持構造を提供し、エラストマーのプラスティック外側把持層（例えば、熱可塑性エラストマー）と、二色成形によってつくられた非エラストマー製のプラスティック製の支持層（例えば、ポリプロピレンまたはアクリロニトリロ・ブタジエン・スチレン）から作られる。前方把持パッド４４および後方把持パド４８の（中間把持パッド４６は、パッド４８と同様の）２つの層の構造は、図４Ａ, 図４Ｂに示され、この場合、エラストマー・プラスティック把持層４５および非エラストマー・プラスティック支持層４７が断面部分で示される。
【００１３】
前方把持パッド４４の非エラストマー・プラスティック支持層４７は、穴３９を通過し、下方把持パッド５６の前記突起部６０の凹所６３にかみあう後方を向いたタブ６２を有する（図３）。タブ６２は、選択的なものであり、パッド４４は、前方にこの特徴部なしにフレーム３４にしっかりと接続することができる。中間および後方把持パッド４６，４８の非エラストマープラスティック支持層４７は、穴４１，４３を通過し、フレーム３４の重複部分６８の下で固定される（図７参照）前方を向いたタブ６４（図４Ｂ参照）を前方に有する。すべての上方把持パッド４４，４６，４８は、三日月形状の凹所３８，４０，４２の端部でフレーム３４の開口７２，７４，７６に受けられるフェイシングロック・タブ７０を有する。図８を参照すると、フレーム３４は、開口７２，７４，７６で対向する突起部を有し、固定タブ７０は、突起部７０ａを越えて開口に挿入されるとき変形する。挿入の後、（個々の開口より大きいフレーム３４の領域で）フレーム３４の内側の固定タブ７０の部分は、突起７０ａの間の制限領域より大きい寸法まで戻る。突起７０ａは、固定タブ７０が開口７２，７４，７６から出ることを防止し、タブ７０および把持パッド４４，４６，４８をフレーム３４の所定の位置に固定する。
【００１４】
上方ロゴ・パネル５２は、フレーム３４の凹所６１に圧力ばめされる延長部５８を有する（図３参照）。下方把持パッド５６の非エラストマー・プラスティック支持層は、フレーム３４（図５,７）の溝６９に圧力ばめされる突起部６０(図３）と、フレーム３４の内側の対向かみ合い面の間に圧力ばめされる突起部７１とを有する。下方ロゴパネル５７は、ピン７３aによって固定されることによ って下方把持パッド５６のかみ合い凹所（図示せず）に固定される突起部７３を有する。
【００１５】
図９を参照すると、カートリッジ接続サブ・アセンブリ３１の部品は、組み立て前の状態であって、フレーム３４のサブ・アセンブリ接続端部３６の凹所８０へのサブ・アセンブリ３１の取付の前の状態が示される。サブ・アセンブリ３１は、ハウジング８２と、プランジャ２３と、ばね８４と、Ｕ形状のエジェクタ８６を有する。プランジャ２３、ばね８４、およびＵ形状のエジェクタ８６は、ハウジング８２の凹所８７（図１２、１３）に受けられる。ハウジング８２は、図９および図１２に示すように前方にカートリッジ接続構造２６および後方にハンドル接続構造８８を有する。ハンドル接続構造８８は、凹所８０に取り付けられたとき、フレーム３４の内側を向いたハンドル面９２（図７、図９）とかみあう外側のハンドル支持面９０を有する。また、ハンドル接続構造８８は、フレーム３４のかみ合い凹所９１とかみあう側部突出部８９を有する。カートリッジ接続構造２６は、凹所８０（図２）に取り付けられるとき、フレーム３４から伸び、ベース２７の凹所９８の内側を向いたカートリッジ面９６にかみあう外側のカートリッジ支持側面９４を有する（図１０）。また、カートリッジ接続構造２６は、デタント１０２の係合（１つが図１０に示されている）を介してベース２７を解放可能に保持するカートリッジ・把持構造として作用する２つのくぼみ１００（図１３に１つが示されている）を有する。
【００１６】
図９、図１１ないし図１５を参照する。ハウジング８２は、組立中に、可動部品、すなわち、プランジャ２３と、ばね８４と、エジェックタ８６とを受けるために後方に組立体開口１０４を有する。ハウジング８２の前端には、カートリッジ１４と相互作用するようにエジェクタ８６およびプランジャ２３のアーム部分１１０が可動である側方開口１０６および中央開口１０８がある。開口１０６，１０８の間のリブ１１２（図１２）は、ハウジング８２にエジェクタ８６およびプランジャ２３を保持するブロック構造として作用する。プランジャ２３の各側のアーム部分１１０は、カートリッジ接続構造２６からカートリッジ１４を放出するためにカートリッジ接続構造２６から伸びることが可能である。
【００１７】
図９，１１および１３を参照すると、ハンドル接続構造８８は、底部延長部へのアクセスを行う開口１１４を有し、ボタン３２は、エジェクタ８６の後方の狭い部分で矩形領域１１８内に受けられる（図１６）。隆起したリップ１２０は、開口１１４に沿って表面９０上に伸びている。リップ１２０および開口１１４は、ハンドル１２のサブ・アセンブリ接続端部３６の凹所１２２内に整合され嵌合される。
【００１８】
図１１，１２，１４，１５を参照すると、エジェクタ８６が凹所８７にとりつけられるとき、アーム１１０の角度のついた停止面１２４は、凹所８７の内側の角度のついた停止面１２６によって偏倚され、固定される。アーム１１０は、エジェクタ８６の後方がボタン３２によって前方に押されるとき、開口１０６を通ってわずかに延びるように前方に移動することができる。プランジャ２３は、アーム１１０の間に配置され、フロントブレード１２８は、カートリッジ接続構造２６の前方の開口を通って伸びている。ブレード１２８はエジェクタ８６のアームより厚く、トラック１２９内をスライドする。アーム１１０は、表面１３０の間の狭い空隙内をスライドする。プランジャ２３のサイド突出部分１３２（図１４，図１５）は、リブ１１２によってブロックされ、さらに前方に移動することが防止され、底部突出部１３４は、プランジャ２３を案内するために溝１３６（図１２）内に載る。ばね８４は、軸１４０に配置され、エジェクタ８６のベースでばねレスト１４１を押す。ばね８４は、エジェクタ８６を後方に偏倚し、エジェクタ８６の表面１２４がハウジング８２の表面に対して載り、プランジャを前方に偏倚してプランジャ２３のサイド突出部１３２がハウジング８２のリブ１１２に対して載るように作用する２つの機能を実行する。
【００１９】
カートリッジ接続サブ・アセンブリ３１の組立中、ばね８４は、プランジャ２３の軸１４０に配置され、これら２つの部品は、トラック１２９に沿ってハウジング８２の凹所８７に挿入される。次にU形状のエジェクタ８６が挿入され、ア ーム１１０は、表面１３０の間の空隙でプランジャ２３をまたぐ。アーム１１０の前方外側コーナー１４２は、エジェクタ８６の挿入中にハウジング８２のカム面１４４によって内側にたわむ。アーム１１０の傾斜停止面１２４は、ハウジング８２の傾斜停止面１２６を通過すると、アーム１１０が外方に弾撥し、エジェクタ８６が、角度停止面１２６による角度停止面１２４のブロックによってハウジング８２内に保持される。サブ・アセンブリ３１の可動部品全体は、ハウジング８２内に固定され、フレーム３４の組み立ての準備中の部品の取り扱い中に落下することを防止する。
【００２０】
カートリッジ接続サブ・アセンブリ３１は、ハンドル接続構造８８を凹所８０に挿入し、ピン１５０を使用してフレーム３４にハウジング８２を固定することによってフレーム３４に取り付ける。ピン１５０は、フレーム３４の穴１５２を通過し、リップ１２０の外側のハンドル接続構造８８の上面９０の整列穴１５４を通過する。ピンは、U形状のエジェクタ８６の狭い部分によって占められた領 域の外側の下面１３０でハウジング８２のプラスティックに挿入される。
【００２１】
ボタン３２は、開口１１４に挿入される。図１６および図１７を参照すると、エジェクタ・ボタン３２の各伸長部は、開口１１４内で各軌道１６２でスライドする外側を向いた溝１６０を有する。溝１６０を形成する上面１６１は、軌道１６２の上面１６４でスライドし、溝１６０を形成する下面１６６は、軌道１６２の下面に補足され接触する。延長部１１６は、ボタン３２が開口１１４に挿入されるとき延長部１１６を内側にたわませるように軌道１６２の湾曲した上方コーナーと協働する傾斜面１７０を有する。延長部１１６の溝１６０が軌道１６２と整列したとき、延長部１１６は、たわまない位置に戻り、開口１１４内の所定の位置にエジェクタ・ボタン３２を固定する。延長部１１６の端部は、矩形領域１１８内に配置され、エジェクタボタン３２がハンドル１２の端部に向かって押すとき、エジェクタ８６の表面１７２を押す。ボタン３２が挿入された後、延長部１１６の上方の垂直方向の表面１７４は、開口１１４の上面１７６の間の空隙内に配置される。バー１７８は、ばね８４を補足し、案内するように作用する。
【００２２】
ボタン３２は、固定部分が組み立てられ製品となったとき見えないように開口１５４をカバーする。また、カートリッジ１４が取付られた後、サブ・アセンブリ３１の部品は、見ることができない（図１参照）。ハウジング８２およびフレーム３４に使用される異なる材料は、明らかでない。
【００２３】
本発明の他の実施例は、請求の範囲内にある。カートリッジ接続構造２６の台形の形状の代わりに、６面構造、または他の非対称形状も使用することができる。
【図面の簡単な説明】
【００２４】
【図１】本発明によるシェービング・カミソリの斜視図。
【図２】互いに分離した図１のカミソリのハンドルと、交換可能なカートリッジとを示す斜視図。
【図３】図２のハンドルの部品の分解図。
【図４Ａ】図４Ａおよび図４Ｂは、図２のハンドルの上方把持パッドの垂直方向の断面図。
【図４Ｂ】図４Ａおよび図４Ｂは、図２のハンドルの上方把持パッドの垂直方向の断面図。
【図５】図２のハンドルのフレームの平面図。
【図６】図５のフレームの側面図。
【図７】図５のフレームの図５の線７−７における垂直方向の断面図。
【図８】図４Ａおよび図４Ｂの把持パッドの固定タブを図５のフレームに接続することを示す、図６の８−８の垂直方向の部分断面図。
【図９】図２のハンドルの図５のフレームのカートリッジ接続端部でのカートリッジ接続サブ・アセンブリおよびボタンを示す分解図。
【図１０】図２のカートリッジのベース部材の垂直方向の断面図。
【図１１】図９のサブ・アセンブリのエジェクタの平面図。
【図１２】図９のサブ・アセンブリのハウジングの水平方向の断面図。
【図１３】図９のサブ・アセンブリのハウジングの図１２の１３−１３で切った垂直方向の断面図。
【図１４】図９のサブ・アセンブリのプランジャの側面図。
【図１５】図１４のプランジャの平面図。
【図１６】図２のハンドルのボタンの正面図。
【図１７】図９のサブ・アセンブリのハウジングの図１３の線１７−１７の垂直方向の断面図。
【符号の説明】
【００２５】
１２  ハンドル
１４  カートリッジ
３０  細長いハンド把持構造
３４  フレーム
３８、４０、４２  三日月型の凹所
４４、４６、４８  把持パッド
４５  エラストマー・プラスティック把持外層
４７  非エラストマー・プラスティック支持層
７０  固定タブ
【図１】
2005185856.tif 000003
【図２】
2005185856.tif 000004
【図３】
2005185856.tif 000005
【図４Ａ】
2005185856.tif 000006
【図４Ｂ】
2005185856.tif 000007
【図５】
2005185856.tif 000008
【図６】
2005185856.tif 000009
【図７】
2005185856.tif 000010
【図８】
2005185856.tif 000011
【図９】
2005185856.tif 000012
【図１０】
2005185856.tif 000013
【図１１】
2005185856.tif 000014
【図１２】
2005185856.tif 000015
【図１３】
2005185856.tif 000016
【図１４】
2005185856.tif 000017
【図１５】
2005185856.tif 000018
【図１６】
2005185856.tif 000019
【図１７】
2005185856.tif 000020